(57)【要約】【課題】少量の炭酸ガス、酸素又は酸素と炭酸ガスとの混合ガスでも効率的に生体の皮膚及び粘膜から吸収させるとともに、カバー内の空気等の排出や、カバー内部の圧力調整を簡単に行うことができるガスミスト圧浴用カバーを提供する。【解決手段】所定濃度の炭酸ガス、酸素又は酸素と炭酸ガスとの混合ガスと液体を破砕溶解させたミストを封入して生体の皮膚及び粘膜に直接接触させるためのガスミスト圧浴用カバー１００であって、前記生体の皮膚及び粘膜を覆う袋状の生体カバー部材１０１と、前記生体カバー部材１０１の開口部に設けられ、この開口部を締め付けて前記ガスミストの放散を防ぐ締付手段１０２と、前記生体カバー部材１０１内にガスミストを導入するための、内部に逆流防止弁を有するガスミスト供給口１０３と、前記生体カバー部材１０１内に封入された空気及び前記ガスミストの圧力を調整及び排出する排出部１０４と、を備える。【選択図】図１
0003150689.tif 000002
【実用新案登録請求の範囲】
【請求項１】
所定値以上の濃度の炭酸ガス、酸素又は酸素と炭酸ガスとの混合ガス（以下、「ガス」という）と液体を破砕溶解させたガスミストを封入して生体の皮膚及び粘膜に直接接触させるためのガスミスト圧浴用カバーであって、
前記生体の皮膚及び粘膜を覆う袋状の生体カバー部材と、
前記生体カバー部材の開口部に設けられ、該開口部を締め付けて前記ガスミストの放散を防ぐ締付手段と、
前記生体カバー部材内に前記ガスミストを導入するため該生体カバー部材内部と連通し、内部に逆流防止弁を有するガスミスト供給口と、
前記生体カバー部材内に封入された空気及び前記ガスミストの圧力を調整及び排出する排出部と、
を備えることを特徴とするガスミスト圧浴用カバー。
【請求項２】
前記締付手段が、ゴム、紐、または面ファスナーのうち何れか一つまたは複数の組み合わせにより構成されることを特徴とする請求項１に記載のガスミスト圧浴用カバー。
【請求項３】
前記生体カバー部材の生体の皮膚及び粘膜に接触する面に、該生体の皮膚及び粘膜に対して粘着性を有する貼着手段を一つまたは複数設けることを特徴とする請求項１または２に記載のガスミスト圧浴用カバー。
【請求項４】
前記生体カバー部材の形状が、少なくとも人体の手指、手の平、及び手の甲を覆う手袋形状、又は少なくとも前腕を覆う長手袋形状であることを特徴とする請求項３に記載のガスミスト圧浴用カバー。
【請求項５】
前記生体カバー部材の形状が、少なくとも人体の足指、足底、及び足の甲を覆う靴下形状、又は少なくとも踝及び下肢を覆う長靴下形状であることを特徴とする請求項３に記載のガスミスト圧浴用カバー。
【請求項６】
前記生体カバー部材は天然ゴム、シリコンゴム、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレンのうち何れか一つまたは複数の組み合わせにより形成されることを特徴とする請求項１に記載のガスミスト圧浴用カバー。
【請求項７】
前記排出部は、排出するガスミストの流量又はガスミストの圧力を調整する手段を備えていることを特徴とする請求項１に記載のガスミスト圧浴用カバー。
【考案の詳細な説明】
【技術分野】
【０００１】
本考案は、炭酸ガス、酸素又は酸素と炭酸ガスの混合ガス（本願では、単に「ガス」という）と液体を破砕溶解させたガスミストを生体の皮膚及び粘膜に直接接触させるガスミスト圧浴に用いるガスミスト圧浴用カバーに関する。
【背景技術】
【０００２】
従来から、酸素と炭酸ガス（二酸化炭素：ＣＯ２）は、生体の皮膚及び粘膜に触れるだけでその皮下に浸透し、浸透部位の血管を拡張させて血液循環を改善する作用があることが知られている。そしてこの血行促進作用により、血圧降下、代謝の改善、疼痛物質や老廃物の排除促進等、様々な生理的効果を発揮する。また、抗炎症、抗菌作用も有している。このため、近年、酸素や炭酸ガスは医療目的のほか、健康増進、美容促進といった点からも広く注目を集めている。
【０００３】
生体の組織中で二酸化炭素は、赤血球内のヘモグロビンに結合して運ばれた酸素を放出させる働きがある。二酸化炭素濃度の高いところでは、赤血球はより多くの酸素を放出する。このように、赤血球による細胞への酸素の供給は、主に二酸化炭素がコントロールしている。つまり、二酸化炭素なしでは、ヘモグロビンは酸素が結合したままの状態となり、細胞は酸素を受け取ることができなくなってしまう。このように、二酸化炭素は、細胞の活動の結果出てくる老廃物のように思われがちだが、実は体の中で非常に重要な役割を果たしている。
【０００４】
そこで、上記ガスを生体に直接吸収させるため、本考案者は生体の皮膚及び粘膜を覆うガスミスト圧浴用カバーを用いたガスミスト圧浴装置及びガスミスト圧浴システムをこれまでに提案している。
【考案の概要】
【考案が解決しようとする課題】
【０００５】
しかしながら、従来の袋状のガスミスト圧浴用カバーでは、カバー内の空気やガスミストを排出するためには、カバーの締付部や止着部をその都度外す手間が必要であるという問題があった。また、ガスミスト圧浴用カバー内の圧力が高くなりすぎた際にも、同様に締付部や止着部を外して一旦開放し、再度ガスミストを送り込まなければならず、非常に煩雑であった。
【０００６】
そこで本考案は、上記状況に鑑みて、少量のガスでも効率的に生体の皮膚及び粘膜から吸収させるとともに、ガスミスト圧浴用カバー内の空気等の排出や、カバー内部の圧力調整を簡単に行うことができるガスミスト圧浴用カバーを提供することを目的とする。
【課題を解決するための手段】
【０００７】
上記課題を解決するために、本考案は、所定値以上の濃度の炭酸ガス、酸素又は炭酸ガスと酸素の混合ガスと液体を破砕溶解させたミストを封入して生体の皮膚及び粘膜に直接接触させるためのガスミスト圧浴用カバーであって、前記生体の皮膚及び粘膜を覆う袋状の生体カバー部材と、前記生体カバー部材の開口部に設けられ、この開口部を締め付けて前記ガスミストの放散を防ぐ締付手段と、前記生体カバー部材内に前記ガスミストを導入するためその生体カバー部材内部と連通し、内部に逆流防止弁を有するガスミスト供給口と、前記生体カバー部材内に封入された空気及び前記ガスミストの圧力を調整及び排出する排出部と、を備えることを特徴とするガスミスト圧浴用カバーを提供するものである。
【０００８】
なお、本願においては、ガスと液体を接触混合させて破砕し微細な液滴にすることを、破砕溶解という。
【０００９】
ここで、前記締付手段は、ゴム、紐、または面ファスナーのうち何れか一つまたは複数の組み合わせにより構成されるのが好ましい。また、前記生体カバー部材の生体の皮膚及び粘膜に接触する面に、その生体の皮膚及び粘膜に対して粘着性を有する貼着手段を一つまたは複数設けるのが好適である。
【００１０】
なお、前記生体カバー部材の形状は、少なくとも人体の手指、手の平、及び手の甲を覆う手袋形状、あるいは、さらに少なくとも前腕を覆う長手袋形状であるのが良い。または、少なくとも人体の足指、足底、及び足の甲を覆う靴下形状、あるいは、さらに少なくとも踝及び下肢を覆う長靴下形状であるのが良い。
【００１１】
また、前記生体カバー部材は天然ゴム、シリコンゴム、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレンのうち何れか一つまたは複数の組み合わせにより形成されるのが好ましい。
【００１２】
そして、前記排出部は排出するガスミストの流量又はガスミストの圧力を調整する手段を備えるようにしている。
【考案の効果】
【００１３】
本考案によれば、大量の炭酸ガスや酸素を必要とせず、さらにガスミスト圧浴用カバー内の空気等の排出や、カバー内部の圧力調整を簡単に行いながら、効率的にガスミストを生体の皮膚及び粘膜から吸収させることが可能となる。
【図面の簡単な説明】
【００１４】
【図１】本考案のガスミスト圧浴用カバーを適用するガスミスト圧浴用システムの一例を示す模式図である。
【図２】本考案の一実施形態に係るガスミスト圧浴用カバーの全体概略図である。
【図３】本考案の一実施形態に係るガスミスト圧浴用カバー（手指、手の平、及び手の甲を覆う短い手袋形状）の装着状態を示す模式図である。
【図４】本考案の他の実施形態に係るガスミスト圧浴用カバー（手指、手の平、手の甲、及び前腕を覆う長手袋形状）の装着状態を示す模式図である。
【図５】本考案の他の実施形態に係るガスミスト圧浴用カバー（足指、足底、及び足の甲を覆う短い靴下形状）の装着状態を示す模式図である。
【図６】本考案の他の実施形態に係るガスミスト圧浴用カバー（足指、足底、足の甲、踝、及び下肢を覆う長靴下形状）の装着状態を示す模式図である。
【考案を実施するための形態】
【００１５】
以下、本考案の実施の形態について、図面を参照しながら詳細に説明する。
【００１６】
まず、本考案のガスミスト圧浴用カバーを適用するガスミスト圧浴用システムの概略について説明する。図１は、ガスミスト圧浴用システムの一例を示す模式図である。この図に示すように、ガスミスト圧浴システムは、ガス供給手段１１と、液体供給手段２１と、液体と上記ガスを破砕溶解させた状態で供給するガスミスト供給手段３１と、供給されたガスミストを内部に封入する空間を形成するガスミスト圧浴用カバー１００と、ガスミストの生成及び供給制御を行う制御装置５１と、から構成される。
【００１７】
ガス供給手段１１は、ガスミスト供給手段３１にガスを供給する。ただし、ガスミスト圧浴用カバー１００内にミストが十分に供給されている場合は、直接ガス供給手段１１から上記ガスのみをガスミスト圧浴用カバー１００内に供給する。このガス供給手段１１としては酸素ガスボンベや炭酸ガスボンベを用いるのが最適である。なお、ガス供給手段１１には、ガスの圧力調整のためのレギュレータ１２が設けられている。
【００１８】
液体供給手段２１は、ポンプ等から構成され、ガスミスト供給装置３１に液体を供給する。この液体としては、水またはイオン水、または生理食塩水を用いるのが良い。液体には、メンソール等の清涼作用を生じさせる薬剤や、血行をより促進させるビタミンＥ、皮膚組織に吸収されやすく美肌効果の高いビタミンＣ誘導体、皮膚の角化作用を正常にし粘膜を保護するレチノール、皮膚及び粘膜への刺激を和らげるための麻酔薬、酸素、炭酸ガスの臭気を除去するためのシクロデキストリン、皮膚及び粘膜表面に付着している細菌等を殺菌するための薬剤（例えば光触媒とアパタイトの複合体）、保水力に優れ肌の保湿効果を有するヒアルロン酸、細胞を活性化し免疫力を向上させるコエンザイムＱ１０、抗酸化物質や多量の栄養素を含むシードオイル、抗酸化作用、抗菌作用、抗炎症作用、鎮痛・麻酔作用、免疫作用等を有するプロポリス等を単独あるいは複数組み合わせて混合してガスミスト供給装置３１へ供給し、酸素と炭酸ガスの生理作用との相乗効果を生じさせることも可能である。
【００１９】
また、図１に示すように、複数の液体供給手段２１Ａ、２１Ｂを配置し、それぞれ異なる液体を供給するようにしても良い。この液体供給手段２１には、供給圧調整のための圧力計２２（２２Ａ、２２Ｂ）をそれぞれ設ける。また、液体を加温する（例えば水を４０℃程度の湯にする）ためのヒータ（図示せず）や、温度制御のための温度計（図示せず）をそれぞれ設けるのが望ましい。
【００２０】
ガスミスト供給装置３１は、液体供給手段２１から供給された液体とガス供給手段１１から供給されたガスとを破砕溶解させたミスト状態でガスミスト圧浴用カバー１００内に加圧供給する装置である。炭酸ガス、酸素又は酸素と炭酸ガスとの混合ガスは、液体と破砕溶解させたミスト状態で供給することで、皮膚及び粘膜からの吸収が促進される。この際、ミストの粒径は１０μｍ以下であるのが最適である。ここでは、流体ノズル３２を備え、ガス供給手段１１から供給されたガスの高速流を利用して液体を破砕溶解させてミストとし、ガスミスト圧浴用カバー１００内に供給する例を示している。このほか、液体中にガスを高圧で噴射することによりガスミストを生成する装置等、様々な方式のガスミスト供給装置を用いることができる。
【００２１】
制御装置５１は、ＣＰＵ、メモリ、ディスプレイを備えたコンピュータから構成される。そして、ガス供給手段１１から供給されるガスの圧力やオン・オフ切替、ガスミスト供給装置３１／ガスミスト圧浴用カバー１００へのガスの供給切替、液体供給手段２１からの液体の供給圧や温度、供給のオン・オフ切替、ガスミスト供給装置３１からのガスミストの供給のオン・オフ切替等の各種制御を行い、最適な状態でガスミスト圧浴が行えるようにする。
【００２２】
ガスミスト圧浴用カバー１００は、生体（ここでは例として人体の手部）の皮膚及び粘膜を覆い、ガスミスト及びガスを内部に封入する空間を形成できるカバーである。図２は、本考案の一実施形態に係るガスミスト圧浴用カバーの全体概略図、図３は、そのガスミスト圧浴用カバーの装着状態を示す模式図である。
【００２３】
ガスミスト圧浴用カバー１００は、これらの図に示すように、生体の皮膚及び粘膜を覆う袋状の生体カバー部材１０１と、この生体カバー部材１０１の開口部に設けられ、開口部を閉じてガスミストの放散を防ぐ締付部１０２と、生体カバー部材１０１の内部にガスミスト及びガスミストを導入するガスミスト供給口１０３と、生体カバー部材１０１の内部の空気やガスミスト、ガスの圧力を調整したり排出したりするための排出部１０４とから構成される。ここで、排出部１０４は、排出するガスミストの流量又はガスミストの圧力を調整する手段を備えるようにしている。
【００２４】
生体カバー部材１０１は、生体の部位（ここでは例として、人体の手部）を被覆できる程度の大きさの袋体から構成される。また、生体カバー部材１０１は、非通気性素材の織布または不織布等から形成される。例えば、天然ゴム、シリコンゴム、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレン等からなるのが好適である。
【００２５】
生体カバー部材１０１の開口部には、ガスミストの漏出を防ぐための締付部１０２が設けられている。ここでは一例として、締付部１０２は紐１０２ａと紐止め１０２ｂから構成される。締付部１０２は上記のような紐のほか、ゴム、面ファスナー等を単独あるいは複数組み合わせて構成しても良い。
【００２６】
生体カバー部材１０１の開口部には、上記の締付部１０２のほか、生体カバー部材１０１内の密閉性を高めるためにさらに、貼着部１０５が設けられている。貼着部１０５は生体の皮膚及び粘膜に粘着する素材からなり、生体カバー部材１０１の開口部や締付部１０２の内側面のほか、生体の皮膚及び粘膜が接触する面に複数設けても良い。貼着部１０５は、例えばポリウレタンやシリコンゴム等からなる粘弾性ゲルであるのが好ましい。また、取り外し可能であり、使用の都度あるいは粘性が弱くなれば交換できる構成とするのが最適である。
【００２７】
ガスミスト供給口１０３は、生体カバー部材１０１内部にガスミストを導入するために生体カバー部材１０１と連通して設けられている。このガスミスト供給口１０３にガスミスト供給装置３１やガス供給手段１１等の供給手段を接続して、生体カバー部材１０１内にガスミスト及びガスを供給する。ガスミスト及びガスの逆流を防止するため、このガスミスト供給口１０３内部には逆流防止弁が配置されている。
【００２８】
排出部１０４は、生体カバー部材１０１内の空気を抜く際や、生体カバー部材１０１内のガスミストやガスを抜いて圧力を調整する際に、それら空気やガスミスト及びガスを排出するための通気口である。排出部１０４は、通常時は弁やキャップ等で通気を防止しており、上記排出を行う際にのみ開弁させたりキャップを外したりすることにより通気が可能になる構造を有している。
【００２９】
生体カバー部材１０１内には、その内部の圧力を計測するための圧力計６１が設置されている。制御装置５１は、ガスミスト圧浴用カバー１００内の圧力値を１気圧以上（より好適には１．０５乃至２．５気圧程度）に保つため、この圧力計６１の計測値に基づき、ガスミスト及びガスの供給を制御する。また、ガスミスト圧浴用カバー１００の内部にはガスミスト圧浴用カバー１００内の温度を計測するための温度計６２が設置されている。制御装置５１は、ガスミスト圧浴用カバー１００内を温浴効果が得られる設定温度（例えば３８℃程度）に保つため、温度計６２の計測値に基づき液体供給手段２１に設けられたヒータのオン・オフ等を行う。
【００３０】
そこで、上記のガスミスト圧浴システムと本考案のガスミスト圧浴用カバーを用いたガスミスト圧浴の方法を説明する。まず、袋状の生体カバー部材１０１を広げ、ガスミスト圧浴を行いたい生体の部位（ここでは人体の手部）を生体カバー部材１０１内に挿入する。次いで、締付部１０２の紐１０２ａを引いて締め付け、紐１０２ａを紐止め１０２ｂで固定する。さらに、生体カバー部材１０１の開口部の貼着部１０５を手首周りに貼り付けて、生体カバー部材１０１内部を略密閉状態とする。また、排出部１０４から内部の空気をできるだけ排出しておく。それからガス供給手段１１からガスを、液体供給手段２１から液体を、ガスミスト供給装置３１へ供給する。その際制御装置５１は、液体及びガスの供給圧や量、温度等の調整を行う。ガスミスト供給装置３１はガスと液体の破砕溶解ミストを生成し、これを供給口１０３から生体カバー部材１０１内へ供給する。生体カバー部材１０１内にミストが十分に充填された場合は、ガス供給手段１１から直接ガスのみを生体カバー部材１０１内に供給する。このとき、生体カバー部材１０１内にはガスが約９５−９７％、液体が約３−５％の割合で存在するようにする。ミスト中には約４０ｐｐｍの濃度でガスが溶解しており、その気泡サイズは約２３２ｐｍとなる。制御装置５１は圧力計６１、温度計６２の計測値から、生体カバー部材１０１内が最適な加圧、加温状態（約１．０５乃至２．５気圧、約３８℃）となるよう制御する。圧力が高すぎた場合や内部のガスミスト及びガスを入れ替えたい場合は、排出部１０４から簡便に排気しその調整が可能である。このようにして最適なガスミスト圧浴を行う。
【００３１】
上記実施形態では、ガスミスト圧浴を行う生体の部位として、人体の手部（手指、手の平、及び手の甲）を例に挙げて説明したが、本考案のガスミスト圧浴用カバーは、その他様々な部位に適用することができる。図４乃至図６は、本考案の他の実施形態に係るガスミスト圧浴用カバーの装着状態を示す模式図である。なお、下記図４乃至図６に係る実施形態においては、生体カバー部材２０１、３０１、４０１の形状が異なる以外は、上記図１に係る実施形態と同様の構成を有するため、各部の詳細な説明は省略する。
【００３２】
図３が手指、手の平、及び手の甲を覆う短い手袋形状のガスミスト圧浴用カバーであったのに対し、図４では、手に加えてさらに前腕も覆う長手袋形状のガスミスト圧浴用カバー２００を示している。この長手袋形状のガスミスト圧浴用カバー２００も、生体カバー部材２０１と、締付部２０２と、ガスミスト供給口２０３と、排出部２０４と、貼着部２０５から構成される。
【００３３】
次に、図５は、足（足指、足底、及び足の甲）用の靴下形状のガスミスト圧浴用カバー３００を示している。この靴下形状のガスミスト圧浴用カバー３００も、生体カバー部材３０１と、締付部３０２と、ガスミスト供給口３０３と、排出部３０４と、貼着部３０５から構成される。
【００３４】
図５が足指、足底、及び足の甲を覆う短い靴下形状のガスミスト圧浴用カバー３００であったのに対し、図６では、足に加えてさらに踝、下肢も覆う長靴下形状のガスミスト圧浴用カバー４００を示している。この長靴下形状のガスミスト圧浴用カバー４００も、生体カバー部材４０１と、締付部４０２と、ガスミスト供給口４０３と、排出部４０４と、貼着部４０５から構成される。
【００３５】
なお、上記実施形態では、ガスミスト圧浴用カバーを人体に適用する例を示したが、本考案のガスミスト圧浴用カバーは、人体に限らず動物等に用いても良い。
【００３６】
上記のように構成したため、本考案によれば、大量のガスを必要とせず、さらにガスミスト圧浴用カバー内の空気等の排出や、カバー内部の圧力調整を簡単に行いながら、効率的にガスミストを生体の皮膚及び粘膜から吸収させることが可能となる。
【００３７】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００３８】
本考案は、炭酸ガス、酸素又は酸素と炭酸ガスの混合ガスと液体を破砕溶解させたガスミストを生体の皮膚及び粘膜に直接接触させて血液循環を改善させるためのガスミスト圧浴に用いるガスミスト圧浴用カバーに関し、産業上の利用可能性を有する。
【符号の説明】
【００３９】
１１    ガス供給手段
１２    レギュレータ
２１、２１Ａ、２１Ｂ    液体供給手段
２２、２２Ａ、２２Ｂ    圧力計
３１    ガスミスト供給手段
３２    流体ノズル
５１    制御装置
６１    圧力計
６２    温度計
１００、２００、３００、４００    ガスミスト圧浴用カバー
１０１、２０１、３０１、４０１    生体カバー部材
１０２、２０２、３０２、４０２    締付部
１０２ａ    紐
１０２ｂ    紐止め
１０３、２０３、３０３、４０３    ガスミスト供給口
１０４、２０４、３０４、４０４    排出部
１０５、２０５、３０５、４０５    貼着部
【図１】
0003150689.tif 000003
【図２】
0003150689.tif 000004
【図３】
0003150689.tif 000005
【図４】
0003150689.tif 000006
【図５】
0003150689.tif 000007
【図６】
0003150689.tif 000008